(57)【要約】【目的】フイルム給送中にシャッタレリーズが行われることによってフイルム給送に負荷がかかりフイルム給送モータの駆動時間とフイルム給送長との対応がずれないようにする。【構成】プレワインド給送時にフイルム給送用モータを駆動すると同時にタイマーをスタートし、タイマーのカウントがアップした時点でモータの駆動を停止する。この給送中に、シャッタレリーズの操作を検知することに応答してフイルム給送用のモータの駆動を停止するとともに、それまでのタイマー計時をリセットし、その後にレリーズ操作を解除したことを検知することに応答して再びフイルム給送用のモータを駆動し、かつ前記計時を最初からスタートする。【選択図】        図１０
2004302237.tif 000002
【特許請求の範囲】
【請求項１】
フイルム給送用のモータを駆動すると同時に計時を開始して所定時間経過後に前記モータの駆動を停止することでフイルム給送を制御するカメラにおいて、
前記フイルム給送中にシャッタ部材の操作を検知することに応答して前記モータの駆動を停止するとともに、それまでの前記計時をリセットし、その後にシャッタ部材の操作を解除したことを検知することに応答して再び前記モータを駆動すると同時に前記計時を最初からスタートする制御手段を備えたことを特徴するカメラ。
【請求項２】
前記制御手段は、シャッタ部材が操作されたことを検知するシャッタ部材検知用スイッチと、前記モータの駆動を利用して写真フイルムを給送するフイルム給送機構と、前記モータの駆動時間を計時するためのタイマー手段と、フイルム給送中に前記シャッタ部材検知用スイッチを監視し、前記シャッタ部材の操作を検知することに応答して前記モータの駆動を停止するとともに、それまでの前記タイマー手段での計時をリセットし、その後に前記シャッタ部材の操作を解除したことを検知することに応答して再び前記モータを駆動し、かつ前記タイマー手段での計時を最初からスタートする制御部とで構成されていることを特徴する請求項１記載のカメラ。
【発明の詳細な説明】
【０００１】
【発明の属する技術分野】
本発明は、フイルム給送用モータの駆動時間を監視して予め決められた長さだけ写真フイルムを給送制御する写真用のカメラに関するものである。
【０００２】
【従来の技術】
カメラのフイルム給送には、順巻き上げと予備巻き上げ方式とがある。順巻き上げ方式は、パトローネから写真フイルムを引き出しながら撮影を行い、全ての撮影コマに撮影を行った後にその写真フイルムをパトローネに巻き戻す。他方、予備巻き上げ方式は、予めパトローネから未露光の写真フイルムを全部引き出し、その後撮影を行いながらパトローネに巻き込む。
【０００３】
どちらの方式のカメラにおいても、モータの駆動を利用してフイルムを給送するタイプでは、所定の長さの写真フイルムを給送した後に、そのモータの駆動を自動的に停止させる手段としてタイマー回路での計時を利用しているものが多い（例えば、特許文献１）。
【０００４】
【特許文献１】
特開平８−２９２４８７号公報（段落番号００５５）
【０００５】
【発明が解決しようとする課題】
ところで、フイルム給送中に不用意にシャッタレリーズが行われると、フイルム給送に負荷を与える構造のカメラがある。このような場合、シャッタレリーズによりフイルム給送に負荷がかかってフイルム給送の速度が遅くなったり、あるいはフイルム給送が止まってしまう不都合が生じる。このような不都合が生じると、フイルム給送用のモータを駆動させる時間経過とフイルム給送長との対応が取れなくなり、規定の撮影枚数通りに撮影が行えない不都合が生じるおそれがあった。
【０００６】
本発明は上記事情を考慮してなされたもので、フイルム給送中にシャッタレリーズを行うとフイルム給送に負荷を与える構造のものであって、フイルム給送中にシャッタレリーズが行われた場合でもフイルム給送用のモータを駆動させる時間経過とフイルム給送長との対応が狂わないように防止するようにした構造のカメラを提供することを目的とする。
【０００７】
【課題を解決するための手段】
そこで、本発明のカメラでは、フイルム給送中にシャッタ部材の操作を検知することに応答して前記フイルム給送用のモータの駆動を停止するとともに、それまでの計時をリセットし、その後にシャッタ部材の操作を解除したことを検知することに応答して再び前記モータを駆動すると同時に前記計時を最初からスタートする制御手段を備えたものである。
【０００８】
制御手段としては、シャッタ部材が操作されたことを検知するシャッタ部材検知用スイッチと、モータの駆動を利用して写真フイルムを給送するフイルム給送機構と、前記モータの駆動時間を計時するためのタイマー手段と、フイルム給送中に前記シャッタ部材検知用スイッチを監視し、前記シャッタ部材の操作を検知することに応答して前記モータの駆動を停止するとともに、それまでの前記タイマー手段での計時をリセットし、その後に前記シャッタ部材の操作を解除したことを検知することに応答して再び前記モータを駆動すると同時に前記タイマー手段での計時を最初からスタートする制御部とで構成するのが望ましい。
【０００９】
シャッタ部材検知用スイッチとしては、フイルム給送に負荷を与える分の押下ストローク操作を検知するのが望ましく、シャッタ部材がシャッタレリーズを行う分のストロークまでを検知する必要はない。つまり、シャッタレリーズを行う全ストロークの半分、又はそれ以上、あるいはそれ以下の押下操作を検知するように構成してもよい。
【００１０】
本発明のフイルム給送機構としては、シャッタ部材の操作によりフイルム給送に負荷がかかる構造のものである。このような構造としては、撮影中に行う１コマ給送とは逆の方向にフイルムを給送するときにシャッタレリーズを阻止するレリーズ阻止手段を備えたものがある。
【００１１】
レリーズ阻止手段としては、フイルム給送用モータのギヤ及びその駆動を利用して写真フイルムを給送するためのギヤ列とのうちの一部ギヤの回転方向に連動してシャッタレリーズを阻止する。このため、逆にシャッタ部材を操作すると、レリーズ阻止手段が一部のギヤに負荷を与える。このため、１コマ給送とは逆の方向にフイルムを給送するときにシャッタ部材の操作が行われたらモータの駆動を停止して、シャッタ部材の操作を解除したときに再びモータを駆動させる。このとき、モータの駆動を停止するための計時を行っているので、その計時も再度モータを駆動してから最初からスタートすればよい。
【００１２】
【発明の実施の形態】
図１に示すように、カメラ１０には、正面に撮影レンズ１１とファインダ１２が、上面左寄りにシャッタボタン１３が、さらには背面に裏蓋１４が外部に露呈してそれぞれ設けられている。
【００１３】
カメラ１０は、図２に示すように、前カバー１５と後カバー１６とで本体部１７を挟装した構造となっている。本体部１７には、左側にパトローネ装填室１８、右側にフイルム巻き取り室１９とがそれぞれ設けられており、これらの室の間に暗箱２６が形成されている。暗箱２６の奥にはアパーチャーが形成されている。暗箱２６は、撮影レンズ１１を通った被写体光をアパーチャーに導く。アパーチャーは、パトローネ装填室１８とフイルム巻き取り室１９との間の背面に形成されたフイルム通路上に形成されている。
【００１４】
後カバー１６には、フイルム交換時に開閉される裏蓋１４が開閉自在に取り付けられている。裏蓋１４には、パトローネ装填室１８の底を閉じる底部が設けられ、パトローネは、カメラ１０の底からスプールの軸方向に沿って装填される。
【００１５】
本体部１７には、詳しくは後述するフイルム巻き止め機構を含むフイルム給送機構、シャッタチャージ機構、及びフイルムカウンタ機構などが取り付けられる。
【００１６】
パトローネ装填室１８には、図３に示すように、フイルム先端が露呈した市販状態となっている１５３タイプの写真フイルムパトローネ２０が装填される。写真フイルムパトローネ２０は、パトローネ２１と写真フイルム２２とで構成されている。パトローネ装填室１８には、パトローネ２１のスプール２３に係合してスプール２３を回転させるフォーク２４が設けられている。また、フイルム巻き取り室１９には、巻き取り軸２５が回転自在に設けられている。
【００１７】
なお、このカメラ１０は、予めパトローネ２１から巻き取り軸２５に全ての写真フイルム２２を巻き取る予備巻き上げ給送を行った後に、撮影しながらパトローネ２１に巻き込む予備巻き上げ式となっている。
【００１８】
図３ないし図５に示すように、フイルム給送機構は、フイルム給送用モータ２７、ギヤ列２８、遊星歯車機構２９、巻き取り軸伝達用ギヤ列３０、スプール伝達用ギヤ列３１、及びフォーク２４とで構成されており、モータ２７の駆動をその回転方向に応じてスプール２３又は巻き取り軸２５との何れか一方に伝達する。なお、符号２７ａはモータ２７の出力軸に取り付けたギヤである。
【００１９】
巻き取り軸２５は、筒状をしており、内部にフイルム給送用モータ２７が配され、また外周上部に巻き取り軸伝達用ギヤ列３０を構成する巻き取り用ギヤ３７が形成されている。スプール伝達用ギヤ列３１には、出力ギヤがスプール駆動用ギヤ３２となっている。このギヤ３２に、フォーク２４が形成されている。
【００２０】
モータ２７の駆動は、ギヤ列２８、遊星歯車機構２９の太陽歯車３３へ順に伝達される。ここで、予備巻き上げ給送時には、モータ２７が正転（図４において反時計方向）し、また１コマ給送時にはモータ２７が逆転する。遊星歯車機構２９は、モータ２７の駆動の回転方向に応じて遊星歯車３４が公転してその噛合位置が二位置の間で切り替わる。一方は、モータ２７の正転駆動を巻き取り軸伝達用ギヤ列３０に入力する位置であり、また他方は、モータ２７の逆転駆動をスプール伝達用ギヤ列３１に入力する位置である。なお、遊星歯車３４は二段ギヤとなっており、一方の大ギヤ３４ａが太陽歯車３３に噛合し、他方の小ギヤ３４ｂが出力ギヤとなっている。
【００２１】
ギヤ列２８は、大ギヤ３５ａと小ギヤ３５ｂとからなる二段ギヤ３５、及びその小ギヤ３５ｂに噛合するギヤ３６とからなり、ギヤ３６が太陽歯車３３に噛合してモータ２７の駆動を遊星歯車機構２９に入力する。巻き取り軸伝達用ギヤ列３０は、巻き取り軸に設けた巻き取り用ギヤ３７となっており、モータ２７が正転駆動したときにその巻き取り用ギヤ３７に遊星歯車３４の小ギヤ３４ｂが噛合する。スプール伝達用ギヤ列３１は、遊星歯車３４の小ギヤ３４ｂが噛合する入力ギヤ３８、スプール駆動用ギヤ３２、及びこれらの間に配される５個のギヤ３８〜４１とで構成されている。なお、ギヤ４１ａとギヤ４１ｂとは同軸上で結合されており、一緒に回転するギヤである。
【００２２】
詳しくは図３に示すように、フイルム通路の上部には、パーフォレーション２２ａに係合するスプロケット４５が設けられている。スプロケット４５は、軸部材４６により回転自在に支持されている。軸部材４６には同軸にシャッタセットカム４７が係合する。
【００２３】
なお、軸部材４６には、スイッチ片４８が設けられている。スイッチ片４８は、スプロケット４５が回転するとフイルム給送検知用のスイッチ４９をＯＮ−ＯＦＦする。１コマ給送時の場合、そのスイッチ４９から得られる信号のうちのＯＮからＯＦＦに変わる立ち下がり信号を検知することに応答してモータ２７の駆動を停止する。
【００２４】
軸部材４６とシャッタセットカム４７との間には、一方向クラッチが内蔵されている。一方向クラッチは、フイルム巻き取り室１９からパトローネ装填室１８に向けた巻き込み方向（１コマ給送方向）への写真フイルム２２の移送に応じたスプロケット４５の回転のみをシャッタセットカム４７に伝達し、逆方向へスプロケット４５が回転した時にはその回転をシャッタセットカム４７に伝達しない。つまり、予備巻き上げ給送時にはシャッタセットカム４７が回転することはない。
【００２５】
シャッタセットカム４７には、シャッタチャージ用のカム４７ａが設けられている。カム４７ａは、１コマ給送方向に応じたスプロケット４５の回転のみが伝達され、この回転を利用して詳しくは後述するシャッタ駆動レバー５０と係止レバー５１とを順次に回転させてシャッタチャージを行う。
【００２６】
シャッタ駆動レバー５０は、第１軸５２を中心としてチャージ位置とレリーズ完了位置との間で回転し、チャージバネ５３によりレリーズ完了位置に向けて付勢されている。係止レバー５１は、第２軸５４を中心として保持位置と解除位置との間で回転し、バネ５５により解除位置に向けて付勢されている。シャッタセットカム４７が回転すると、シャッタ駆動レバー５０がチャージ位置に回転され、次に係止レバー５１が保持位置に回転する。係止レバー５１が保持位置に回転すると、一端がシャッタ部材５７に係合してその位置に保持されるとともに、シャッタ駆動レバー５０をチャージ位置に保持する。
【００２７】
なお、１コマ給送時において、次の撮影コマをセットするときのモータ駆動開始タイミングを得るために、チャージ検知用のスイッチ５８が設けられている。チャージ検知用のスイッチ５８は、シャッタ駆動レバー５０がチャージ位置に回転するとＯＦＦし、レリーズ完了位置に回転するとＯＮする。
【００２８】
シャッタ部材５７は、弾性を有する材料で水平面部５７ａと垂直面部５７ｂとを接合したＬ字形状に形成されている。垂直面部５７ｂはパトローネ装填室１８の前面に昇降自在に取り付けられ、また水平面部５７ａはパトローネ装填室１８の上に配される。水平面部５７ａには上面にシャッタボタン１３が設けられており、また下面に下方に伸びたガイド軸５７ｃが設けられている。
【００２９】
ガイド軸５７ｃは、ガイド孔５９に入り込み、シャッタ部材５７の昇降をガイドする。そのガイド孔５９は、スプール駆動用ギヤ３２をパトローネ装填室１８との間で回転可能に覆う支持板６０の上面に形成されている。また、ガイド軸５７ｃとガイド孔５９との間には、バネ６１が設けられている。バネ６１は、シャッタ部材５７を上昇位置に向けて付勢する。シャッタボタン１３を押下操作すると、シャッタ部材５７がバネ６１の付勢に抗して下降位置に移動し、この移動に連動して係止レバー５１との係合が解除される。
【００３０】
なお、シャッタ部材５７の下にはレリーズ検知用のスイッチ６２が配されている。レリーズ検知用のスイッチ６２は、シャッタ部材５７が下降位置、すなわちシャッタレリーズのときにＯＮして、シャッタ部材５７が上昇位置、すなわちレリーズ解除のときにＯＦＦする。
【００３１】
このようにシャッタレリーズがなされると、係止レバー５１が解除位置に向けて回転し、シャッタ駆動レバー５０のチャージ位置での保持を解除する。これにより、シャッタ駆動レバー５０は、チャージ位置からレリーズ完了位置に向けてチャージバネ５３の付勢により瞬時に回転する。この回転途中で、シャッタ駆動レバー５０に設けた蹴飛ばし片５０ａがシャッタ羽根６３の一端６３ａを蹴飛ばす。シャッタ羽根６３は、一端６３ａが蹴飛ばされることで軸６４を中心としてシャッタ開口６５の前面で一往復揺動する。その後は引き戻しバネ６６によってシャッタ開口６５を塞ぐ位置に戻される。
【００３２】
露光が完了すると、シャッタ駆動レバー５０がレリーズ完了位置に回転している。また、係止レバー５１が解除位置に位置している。また、シャッタ部材５７は、上昇位置に戻されている。１コマ給送時でのモータ２７の駆動開始は、チャージ検知用のスイッチ５８がＯＮし、かつレリーズ検知用のスイッチ６２がＯＦＦしていることに応答して行われる。
【００３３】
スプール駆動用ギヤ３２には、図６に示すように、上面に輪郭円形の凸部３２ａが形成されている。凸部３２ａは、ロック部材７０を回転自在に支持する。ロック部材７０は、スプール駆動用ギヤ３２との間での摩擦抵抗によってスプール駆動用ギヤ３２の回転方向に従動して回転する。この回転は、支持板６０に設けた一対のストッパ６０ａ，６０ｂによって二位置の間で規制されている。予備巻き上げ給送の時には図３において一方のストッパ６０ｂに当接するロック位置となる。また、１コマ給送時には、他方のストッパ６０ｂに当接してロック解除位置となる。
【００３４】
ロック部材７０には、係合部７０ａが設けられている。係合部７０ａは、ロック部材７０がロック位置のときにシャッタ部材５７の水平面部５７ａの下に入り込んでシャッタ部材５７の下降位置への移動を阻止する。またロック解除位置のときには、係合部７０ａが水平面部５７ａの下から退避してシャッタ部材５７の下降位置への移動を許容する。
【００３５】
予備巻き上げ給送時にはスプール２３に、フイルム給送用モータ２７の正転駆動が直接に伝達されない。しかし、フイルム給送用モータ２７が正転すると巻き取り軸２５が写真フイルム２２をパトローネ２１から引き出す。このため、パトローネ２１のスプール２３もフイルム送り出し方向に回転される。これにより、スプール駆動用ギヤ３２が図３において時計方向に回転し、この回転に従動してロック部材７０が時計方向に回転してロック位置となる。よって予備巻き上げ給送時にはシャッタレリーズが確実に阻止される。
【００３６】
逆に、１コマ給送時には、フイルム給送用モータ２７の逆転駆動がスプール駆動用ギヤ３２に直接に伝達されるため、ロック部材７０は図３において反時計方向に回転してロック解除位置に回転し、よってシャッタレリーズが許容される。
【００３７】
図７は、スイッチ片４８とフイルム給送検知用のスイッチ４９とを示している。スイッチ片４８はスプロケット４５と同期して回転する。例えば、１コマ分の長さだけ写真フイルム２２が移送されたときにスプロケット４５が１回転する場合には、図８に示すように、フイルム給送検知用のスイッチ４９から得られる立ち下がり信号との間が予測の１コマ給送時間となる。
【００３８】
図９に示すように、フイルム給送検知用のスイッチ４９、チャージ検知用のスイッチ５８、レリーズ検知用のスイッチ６２、及び裏蓋開閉検知用のスイッチ８０のそれぞれから得られる信号は制御部８１に送られる。制御部８１は、タイマー回路８２、ＲＯＭ８３、及びＲＡＭ８４を内蔵しており、ＲＯＭ８３に記憶されたプログラムを実行し、各スイッチから得られる信号に応答してドライバ２７ｂを介してフイルム給送用のモータ２７を制御する。
【００３９】
次に、図１０ないし図１２を参照しながら上記構成の作用を説明する。カメラ１０の裏蓋１４を開いて写真フイルムパトローネ２０を装填する。
【００４０】
フイルム装填は、パトローネ２１をパトローネ装填室１８に装填し、且つ予め露呈しているフイルム先端を巻き取り軸２５に引っ掛かる長さまで引き出してから裏蓋１４を閉める。これにより、フイルム先端が裏蓋１４に設けた押さえローラと巻き取り軸２５とで挟装される。
【００４１】
裏蓋開閉検知用のスイッチ８０は、先の裏蓋１４を閉じる操作に応答してＯＦＦ信号を出力する。このＯＦＦ信号を得ることとレリーズ検知用のスイッチ６２がＯＦＦであることに応答してフイルム給送用のモータ２７が正転駆動する。
【００４２】
モータ２７の正転駆動が駆動すると、図４において遊星歯車３４が時計方向に公転してそれの小ギヤ３４ｂが巻き取り用ギヤ３７に噛合してモータ２７の正転駆動が巻き取り軸２５に伝達される。巻き取り軸２５がフイルム巻き取り方向に回転すると、巻き取り軸２５に設けた爪２５ａがパーフォレーション２２ａに係合することで写真フイルム２２が巻き取り軸２５に巻き取られてゆく。このとき、スプール伝達用ギヤ列３１は、遊星歯車機構２９と噛合が解除され、フリーとなっている。
【００４３】
巻き取り軸２５は、図４において時計方向に回転して写真フイルム２２を巻き取る。これにより、写真フイルム２２がパトローネ２１から引き出され、スプール２３がフイルム送り出し方向に回転し、スプール駆動用ギヤ３２が図３において時計方向に回転する。ロック部材７０は、この回転に従動して時計方向に回転してロック位置に回転する。ロック位置に回転すると、係合部７０ａがシャッタ部材５７の水平面部５７ａの下に入り込んでシャッタ部材５７の下降位置への移動を阻止する。このように予備巻き上げ給送中にシャッタレリーズを阻止するから二重に露光されるような不都合を確実に防止することができる。
【００４４】
予備巻き上げ中は、写真フイルム２２が送り出し方向に移送されているから、スプロケット４５及び軸部材４６が図３に示す時計方向に回転し、フイルム給送検知用のスイッチ４９をＯＮ−ＯＦＦしている。
【００４５】
図１０に示すように、モータ２７を正転駆動後にタイマー回路８２でタイマーをスタートしてからカウントアップする一定時間内にそのフイルム給送検知用のスイッチ４９から得られる信号のうちの立ち下がり信号を検知するか否かを判断する。このときの一定時間には、フイルム給送時、フイルム給送検知用のスイッチ４９が立ち下がり信号を出力する時間に対して余裕のある時間を設定する。巻き取り軸２５の巻き始めに時間を要する事が見込まれる場合にはこの時間も見込む。そして、立ち下がり信号を検知するごとにタイマー回路８２のカウント値をリセットして同時にカウントを開始してプレワインドを継続する。
【００４６】
本実施形態では、プレワインドの初期に、４パルスの立ち下がり信号を検出するまで８秒、以降は１．５秒にタイマー回路８２のカウント時間を切り替えている。というのは、初期には巻き取り軸２５にフイルム先端を絡ませる時間が必要であり、以降はフイルム給送のロックを監視する時間であるので短い時間に設定している。
【００４７】
そして、写真フイルム２２の全部が巻き取り軸２５に巻き取られると、フイルム給送検知用のスイッチ４９のＯＮ−ＯＦＦの繰り返し信号がなくなり、ＯＮ又はＯＦＦとの何れか一方の信号のみの検知となる。この信号の変化を検知してからタイマー回路８２でのカウントがアップしたときに、制御部８１が予備巻き上げが完了と判断し、これから一定時間経過後にフイルム給送用モータ２７の正転駆動を停止する。
【００４８】
ところで、プレワインド中にシャッタボタン１３を押下操作すると、シャッタ部材５７がロック部材７０の係合部７０ａを押圧する。このロック部材７０は、巻き取り用ギヤ３７に回転自在に支持されており、また、巻き取り用ギヤ３７は、プレワインド中にスプール２３の回転に従動してフイルム送り出し方向に回転している。したがって、シャッタボタン１３を押下操作すると、ロック部材７０を介して巻き取り用ギヤ３７の回転に負荷がかかり、巻き取り用ギヤ３７の回転が遅くなったり、回転が停止するなどの不都合が生じてプレワインド時の時間経過とフイルム給送長との対応が狂う。
【００４９】
このため、タイマー回路８２でカウントして一定時間内にレリーズ検知用のスイッチ６２がＯＮする場合には、モータ２７の正転駆動をいったん停止する。そして、レリーズ検知用のスイッチ６２がＯＦＦすることで、これに応答してモータ２７の正転駆動を再び開始し、それまでのタイマー回路８２のカウント値をリセットすると同時に再びスタートからカウントを開始する。
【００５０】
このように、プレワインド中にシャッタボタン１３が押されてフイルム給送に負荷がかかると、いったんフイルム給送を停止し、その後、シャッタボタン１３の押下操作が解除されてから再びフイルム給送とプレワインドが終了する予測のカウントを開始することで、時間経過とフイルム給送長との対応のずれを防ぐようにしている。
【００５１】
予備巻き上げ給送が完了すると、フイルム給送用モータ２７が逆転駆動される。これにより、遊星歯車機構２９の駆動伝達経路が切り替わり、今度はスプール駆動用ギヤ３２にモータ２７の駆動が伝達され、スプール駆動用ギヤ３２がフイルム巻き取り方向に回転し、写真フイルム２２がパトローネ２１に巻き込まれる。このとき、スプール駆動用ギヤ３２が図３において反時計方向に回転するため、ロック部材７０も反時計方向に回転してロック解除位置となる。これにより、係合部７０ａがシャッタ部材５７の水平面部５７ａの下から退避してシャッタ部材５７の昇降移動を許容する。
【００５２】
一方、写真フイルム２２の移送に連動してスプロケット４５が回転してシャッタチャージが行われる。そして、図１１に示すように、タイマー回路８２でのタイマースタートから一定時間内に、フイルム給送検知用のスイッチ４９から得られる立ち下がり信号を検知することに応答してモータ２７の駆動を停止する。これにより、１コマ給送が完了し、最初の撮影コマがアパーチャーにセットされた状態となる。なお、このとき、シャッタチャージも完了しており、チャージ検知用のスイッチ５８がＯＦＦしている。
【００５３】
シャッタボタン１３を押下操作すると、シャッタ部材５７が下降位置に移動して係止レバー５１の保持が解除される。そして係止レバー５１が解除位置に回転する。これにより、シャッタ駆動レバー５０がレリーズ完了位置に向けて回転してシャッタ羽根６３を蹴飛ばし、そしてシャッタ羽根６３が撮影光軸６３ｂを横切るように揺動することで写真フイルム２２に露光が行われる。露光完了後にはシャッタ駆動レバー５０がレリーズ完了位置に回転しているため、チャージ検知用のスイッチ５８がＯＮする。このスイッチ５８がＯＮで且つレリーズ検知用のスイッチ６２がＯＦＦであることに応答してフイルム給送用のモータ２７の逆転駆動が開始される。
【００５４】
以下、前述したと同じにフイルム給送検知用のスイッチ４９から得られる信号に基づいてモータ２７の駆動を停止し、シャッタレリーズ後にチャージ検知用のスイッチ５８から得られる信号に基づいてモータ２７を再駆動することで順次に撮影を行ってゆくことができる。
【００５５】
フイルムカウンタ機構のカウンタ板は、残数を表示する。最後の撮影コマに撮影を完了すると、カウンタ板がスタート位置に戻る。カウンタ板がスタート位置に戻ると、シャッタ駆動レバー５０とシャッタセットカム４７との係合を解除し、シャッタ駆動レバー５０のチャージ位置への移動を阻止する。これにより、最後の撮影コマに撮影を完了した後はチャージ検知用のスイッチ５８のＯＮが保持される。よって、フイルム給送検知用のスイッチ４９から立ち上がり信号を検知した後にチャージ検知用のスイッチ５８がＯＮしている場合には、モータ２７の逆転駆動をいったん停止し、写真フイルム２２の全部をパトローネ２１に巻き込むリワインド処理となる。
【００５６】
リワインド処理は、図１２に示すように、モータ２７を逆転駆動する。これにより、スプール駆動用ギヤ３２がスプール２３をフイルム巻き取り方向に回転して撮影済みの写真フイルム２２がパトローネ２１に巻き込まれる。この間、スプロケット４５が回転し、フイルム給送検知用のスイッチ４９をＯＮ−ＯＦＦする。制御部８１は、モータ２７を逆転駆動してからタイマー回路８２でカウントする一定時間内にフイルム給送検知用のスイッチ４９から得られる立ち上がり信号を検知し続けることでリワインド給送を継続する。
【００５７】
写真フイルム２２の全部がパトローネ２１に巻き込まれると、スプロケット４５の回転が停止し、フイルム給送検知用のスイッチ４９から得られる信号が変化しない信号となる。その信号が一定時間変化が無い状態、すなわちタイマーカウントオーバーになったときから所定時間経過後にモータ２７の逆転駆動を停止する。この間に、全ての撮影済みの写真フイルム２２がパトローネ２１に収納される。そして、モータ２７の逆転駆動を停止した後に、所定時間だけモータ２７を正転駆動する。この僅かな正転駆動により遊星歯車３４をモータ正転駆動時の噛合位置に戻す。これにより、次回のプレワインド時に、遊星歯車３４の噛合位置の切り替わり時間を短縮することができ、プレワインド時の時間経過とフイルム給送長との対応付けを確実に行うことができる。
【００５８】
ところで、リワインド中に、シャッタボタン１３を押下操作した場合にも時間経過とフイルム給送長との対応が狂う。このため、リワインド中にも、タイマー回路８２でカウントしてそのカウント時間内にレリーズ検知用のスイッチ６２がＯＮしている場合には、モータ２７の逆転駆動をいったん停止させ、レリーズ検知用のスイッチ６２がＯＦＦすることに応答して再びモータ２７の逆転駆動とタイマー回路８２のカウント値カウントとを開始する。
【００５９】
このように、リワインド中もシャッタボタンが押されてフイルム給送に負荷がかかり、モータを駆動する時間経過とフイルム給送長との対応が狂う直前に、いったんモータの駆動を停止し、シャッタボタンの押下操作が解除されてから再びモータの駆動とタイマーカウントとを開始する。
【００６０】
上記のように、シャッタボタン７５を押下操作したときにフイルム給送に負荷を与えてモータ２７を駆動する時間経過とフイルム給送長との対応が狂うのを防止する制御をプレワインド及びリワインド時に行っているが、本発明ではこれらのみに限らず、例えば１コマ給送時にも行うようにしてもよい。
【００６１】
上記実施形態では、ロック部材７０をロック位置と解除位置との二位置の間で回転させているが、代わりに、スライド移動としてもよい。また、ロック部材７０を移動させるためのギヤとしては、スプール駆動用ギヤ３２に限らず、フイルム給送用モータの駆動が伝達されるギヤであれば、いずれのギヤを用いてもよい。また、ロック部材７０を一部のギヤに直接に係合させる構造に限らず、リンク機構などを介して間接的に係合させる構造としてもよい。さらには、フイルム給送用のギヤ列ではなく、フイルム給送用モータ２７のギヤ２７ａの回転方向に応じて移動するロック部材としてもよい。
【００６２】
さらに、上記実施形態のカメラでは、シャッタボタン１３の下方にパトローネ装填室１８を配する構成としているが、代わりにフイルム巻き取り室を配しても良い。この場合、巻き取り軸伝達用ギヤ列の一部のギヤを利用してロック部材を二位置の間で移動させる構成にすればよい。また、シャッタボタン１３を有するシャッタ部材５７を下降させてシャッタレリーズを行うようにしているが、代わりに、シャッタボタン自体を弾性変形自在にして押下操作したときの弾性変形によってレリーズするように構成してもよい。この場合はロック部材でシャッタボタンの弾性変形を阻止するように係合部をシャッタボタンの下又は一部に係合させる構成にすればよい。
【００６３】
【発明の効果】
以上説明したように、本発明によれば、フイルム給送中にシャッタレリーズの操作を検知することに応答して前記フイルム給送用のモータの駆動を停止するとともに、それまでの計時をリセットし、その後にシャッタレリーズの操作を解除したことを検知することに応答して再び前記モータを駆動すると同時に前記計時を最初からスタートする制御手段を備えたから、フイルム給送中にシャッタレリーズの操作が行われてもフイルム給送用のモータを駆動させる時間経過とフイルム給送長との対応を確実なものにすることができる。
【図面の簡単な説明】
【図１】カメラの外観を示す斜視図である。
【図２】カメラの内部の要部を示す分解斜視図である。
【図３】フイルム給送機構、シャッタチャージ機構、及びレリーズ阻止手段を概略的に示す斜視図である。
【図４】予備巻き上げ給送時のフイルム給送用ギヤ列を示す説明図である。
【図５】１コマ給送時のフイルム給送用ギヤ列を示す説明図である。
【図６】シャッタ部材、一部のギヤ、及びロック部材の要部を示す斜視図である。
【図７】フイルム給送検知用のスイッチとスイッチ片とを示す説明図である。
【図８】フイルム給送検知用のスイッチから得られる信号を示すグラフである。
【図９】カメラの電気的概略を示すブロック図である。
【図１０】予備巻き上げ給送時の動作を示すフローチャート図である。
【図１１】１コマ給送時の動作を示すフローチャート図である。
【図１２】最後の撮影コマを撮影した後に全部の写真フイルムをパトローネに巻き込むリワインド給送の動作を示すフローチャート図である。
【符号の説明】
１３  シャッタボタン
１８  パトローネ装填室
２５  巻き取り軸
２７  フイルム給送用モータ
２９  遊星歯車機構
３２  スプール駆動用ギヤ
４９  フイルム給送検知用のスイッチ
５７  シャッタ部材
６２  レリーズ検知用スイッチ
７０  ロック部材
８１  制御部
【図１】
2004302237.tif 000003
【図２】
2004302237.tif 000004
【図３】
2004302237.tif 000005
【図４】
2004302237.tif 000006
【図５】
2004302237.tif 000007
【図６】
2004302237.tif 000008
【図７】
2004302237.tif 000009
【図８】
2004302237.tif 000010
【図９】
2004302237.tif 000011
【図１０】
2004302237.tif 000012
【図１１】
2004302237.tif 000013
【図１２】
2004302237.tif 000014